(57)【要約】【課題】ジャケット、ブルゾン、コート等のアウターウェアを型崩れさせることなくスムースに入れることができると共に洗濯によって型崩れすることがない洗濯ネットを提供すること。【解決手段】洗濯ネットは、網状体よりなる底部ネット１と上部ネット２とよりなる。上記上部ネット２は開閉可能な蓋ネット２２を有し、蓋ネット２２の周辺部には開閉周辺部２０を有する。上記底部ネット１の側端部と上記上部ネット２の開口部とは連続した接続周辺部３１を形成しており、該接続周辺部３１と上記蓋ネットの開閉周辺部２０とは第１ファスナーによって開閉可能に接続されている。上記底部ネット１の基端部１８と先端部１９とは、洗濯ネットを重ね折りした際に互いに第２ファスナー４によって接続できるよう構成してある。【選択図】図１
2006166976.tif 000002
【特許請求の範囲】
【請求項１】
ジャケット、ブルゾン、コート等のアウターウェアを洗濯する際に用いる洗濯ネットであって、
該洗濯ネットは、網状体よりなる底部ネットと、網状体よりなる上部ネットとよりなり、
上記上部ネットは、開閉可能な蓋ネットを有し、該蓋ネットはその基部を上記底部ネットの基端部に固定すると共に蓋ネットの側端部及び先端部からなる周辺部には開閉周辺部を有し、
また、上記上部ネットにおける上記蓋ネットを形成しない固定部は上記底部ネットの先端部及び側端部の一部分に固定してあると共に、該固定部における上記蓋ネットと対面する部位には開口部を有し、
また、上記底部ネットの側端部と上記上部ネットの開口部とは連続した接続周辺部を形成しており、
該接続周辺部と上記蓋ネットの開閉周辺部とは第１ファスナーによって開閉可能に接続されており、
かつ、上記底部ネットの基端部と該底部ネットの先端部とは、洗濯ネットを重ね折りした際に互いに第２ファスナーによって接続できるよう構成してあることを特徴とする洗濯ネット。
【請求項２】
請求項１において、上記上部ネットにおける上記開口部は弧状を形成していることを特徴とする洗濯ネット。
【請求項３】
請求項１又は２において、上記上部ネットの固定部の先端部と上記底部ネットの上記先端部との固定部分には補強材が設けてあり、上記両補強材の間に上記第２ファスナーが設けてあることを特徴とする洗濯ネット。
【請求項４】
請求項１〜３のいずれか一項において、上記底部ネットには、洗濯ネットの中にアウターウェアを入れて該洗濯ネットを重ね折りした際に、洗濯ネットが膨らみを形成することができるように、プリーツを設けてあることを特徴とする洗濯ネット。
【請求項５】
請求項１〜４のいずれか一項において、上記底部ネットの基端部には、洗濯ネット内のアウターウェアを吊り下げ乾燥するためのハンガーを露出させるハンガー開口部を有することを特徴とする洗濯ネット。
【発明の詳細な説明】
【技術分野】
【０００１】
本発明は、ジャケット、ブルゾン、コート等のアウターウェアを洗濯する際に用いる洗濯ネットに関する
【背景技術】
【０００２】
一般に、婦人物下着類などの柔軟性下着類を洗濯機により洗濯する際には、その型崩れや、ホツレを防止するために、これらを洗濯ネットに入れて洗濯機内で洗濯している。
従来、かかる洗濯ネットとしては、図１１に示すごとく、洗濯ネット９の略中央部或いは端部に開口部９１を設け、該開口部９１に開閉自在なファスナー９２を設けたものがある（特許文献１）。
【０００３】
【特許文献１】特開２００４−２３６９５８号公報
【発明の開示】
【発明が解決しようとする課題】
【０００４】
ところで、ジャケット、ブルゾン、コート等のアウターウェアを洗濯ネットに入れて洗濯しようとする場合には、次の問題がある。
即ち、上記アウターウェアは、通常のＴシャツ、パンツ等の下着類に比較して、２〜４倍の厚みを有している。
【０００５】
また、アウターウェアは、ジャケット、ブルゾン、コート等に見られるように、それぞれ特有の一定の型構造を有しており、下着類のように自在な形状に畳んだり、折り曲げたりして洗濯ネット内に入れることは、型崩れの原因になるため、禁物である。
かかる状況にあるジャケット、ブルゾン、コート等のアウターウェアを、上記従来の洗濯ネット９の中に入れようとしても、該洗濯ネット９は略中央部にしか開口部を有していないため、アウターウェアを型崩れしないように、洗濯ネット内に広げた状態で、スムースに入れることは困難である。
【０００６】
また、アウターウェアを洗濯ネット内に無理に入れたとしても、アウターウェアを洗濯ネット内に広げた状態で、洗濯機内で洗濯すると、アウターウェアは洗濯内であらゆる方向に回動されるため、アウターウェアが型崩れしてしまうことがある。
また、近年は家庭内で洗濯機によって洗濯することができる衣類が急増し、上記ジャケット、ブルゾン、コート等のアウターウェアも洗濯機によって洗濯する機会が増大し、上記の問題が発生している。
【０００７】
本発明は、かかる従来の問題点に鑑み、ジャケット、ブルゾン、コート等のアウターウェアを型崩れさせることなくスムースに入れることができると共に洗濯によって型崩れすることがない洗濯ネットを提供しようとするものである。
【課題を解決するための手段】
【０００８】
本発明は、ジャケット、ブルゾン、コート等のアウターウェアを洗濯する際に用いる洗濯ネットであって、
該洗濯ネットは、網状体よりなる底部ネットと、網状体よりなる上部ネットとよりなり、
上記上部ネットは、開閉可能な蓋ネットを有し、該蓋ネットはその基部を上記底部ネットの基端部に固定すると共に蓋ネットの側端部及び先端部からなる周辺部には開閉周辺部を有し、
また、上記上部ネットにおける上記蓋ネットを形成しない固定部は上記底部ネットの先端部及び側端部の一部分に固定してあると共に、該固定部における上記蓋ネットと対面する部位には開口部を有し、
また、上記底部ネットの側端部と上記上部ネットの開口部とは連続した接続周辺部を形成しており、
該接続周辺部と上記蓋ネットの開閉周辺部とは第１ファスナーによって開閉可能に接続されており、
かつ、上記底部ネットの基端部と該底部ネットの先端部とは、洗濯ネットを重ね折りした際に互いに第２ファスナーによって接続できるよう構成してあることを特徴とする洗濯ネットにある（請求項１）。
【０００９】
本発明によれば、上記洗濯ネットは底部ネットと上部ネットとよりなり、上部ネットには上記第１ファスナーによって開閉可能とした蓋ネットを設けてある。即ち、該蓋ネットはその基部が底部ネットの基端部に固定されているが、その側端部及び先端部からなる周辺部には開閉周辺部を設け、該開閉周辺部は底部ネットの側端部と上部ネットの開口部とからなる接続周辺部に第１ファスナーによって開閉可能に連結できるようにしてある。
【００１０】
そのため、ジャケット、ブルゾン、コート等のアウターウェアを洗濯ネットに入れる際には、第１ファスナーを開き、蓋ネットを大きく開放することができる。即ち、底部ネットの大部分を上部ネットから解放することができる。それ故、アウターウェアは、底部ネットの上に置き、アウターウェアの裾や袖の部分を、上記上部ネットにおける蓋ネットを形成しない上記固定部と底部ネットとの間に挿入し、第１ファスナーを閉じるだけで洗濯ネット内に型崩れなくアウターウェアを入れることができる。
そのため、本発明によれば、アウターウェアを洗濯ネット内に型崩れなくスムースに配置することができる。
【００１１】
次に、洗濯ネット内にアウターウェアを配置した後は、洗濯ネットにおける底部ネットの基端部を底部ネットの先端部の方向に折り重ねて、２つ折りし、次いで上記底部ネットの基端部と先端部とを第２ファスナーによって連結する。これにより、アウターウェアを入れた洗濯ネットはコンパクトな状態となると共に、アウターウェアの形も固定される。
そのため、このアウターウェア入り洗濯ネットを洗濯機内に入れて水洗洗濯しても、アウターウェアが絡みあって型崩れするということがない。
【００１２】
なお、アウターウェア入り洗濯ネットを重ね折りした場合においても、洗濯ネットは基端部と先端部とにおいて第２ファスナーによって連結されているだけであるため、洗濯ネットの中央部分はフリーの状態にある。そのため、この中央部分には自由に洗濯機内の水が流通するので、中央部分の洗濯も充分に行なうことができる。
【００１３】
したがって、本発明によれば、ジャケット、ブルゾン、コート等のアウターウェアを型崩れさせることなくスムースに入れることができると共に洗濯によって型崩れすることがない洗濯ネットを提供することができる。
【発明を実施するための最良の形態】
【００１４】
本発明において、上記洗濯ネットは、例えば化学繊維糸等により作製した網状体を用いる。
また、上記接続周辺部と蓋ネットの開閉周辺部とは、底部ネットの基端部の近く、例えば該基端部の端から１〜５ｃｍ近くまで結合してあることが好ましい。これにより、洗濯ネットへのアウターウェアの配置がよりスムースとなる。
【００１５】
また、上記上部ネットにおいて、蓋ネットを形成しない上記固定部の最短長さは、底部ネットの先端部の端から８〜１５ｃｍの位置まで設けておくことが好ましい。これにより、アウターウェアの裾部や袖部を底部ネットと該固定部の間に挿入、固定することができ、アウターウェアが洗濯ネット内で動くことを防止できる。
【００１６】
また、上記固定部と底部ネットの側端部との固定長さは、底部ネットの先端部より２０〜４５ｃｍの位置とすることが好ましい。この場合も、上記と同様の効果が得られる。
また、上記第１ファスナー及び第２ファスナーは、例えば一対の噛合エレメントとこれを互いに結合又は解放させるスライダーとよりなる緊締具である。
【００１７】
次に、上記上部ネットにおける上記開口部は弧状を形成していることが好ましい（請求項２）。
この場合には、上記開口部の両端部における、固定部の幅が大きくなる。そのため、上記固定部と底部ネットとによって、アウターウェアの両サイドの裾部及び袖部を洗濯ネット内に固定することができ、型崩れを一層防止できる。
【００１８】
次に、上記上部ネットの固定部の先端部と上記底部ネットの上記先端部との固定部分には補強材が設けてあり、上記両補強材の間に上記第２ファスナーが設けてあることが好ましい（請求項３）。
この場合には、上記補強材によって、第２ファスナーの取付部分となる底部ネットの基端部と先端部とが補強され、アウターウェアを入れた洗濯ネットを重ね折りしたときに底部ネットの基端部と先端部が互いに引張られても、第２ファスナーが洗濯ネットの取付け部分から外れるということがない。
【００１９】
次に、上記底部ネットには、洗濯ネットの中にアウターウェアを入れて該洗濯ネットを重ね折りした際に、洗濯ネットが膨らみを形成することができるように、プリーツを設けてあることが好ましい（請求項４）。
この場合には、アウターウェアを入れた洗濯ネットを重ね折りした際に、アウターウェアが膨らみを生じたとき、その膨らみを上記プリーツ（ひだ）が吸収するので、洗濯ネットの損傷を防止できる。
【００２０】
次に、上記底部ネットの基端部には、洗濯ネット内のアウターウェアを吊り下げ乾燥するためのハンガーを露出させるハンガー開口部を有することが好ましい（請求項５）。
【００２１】
この場合には、洗濯後のアウターウェアを洗濯ネットに入れたまま、上記ハンガーにアウターウェアを吊るして、乾燥することができる。
上記乾燥の際には、洗濯の後、上記第２ファスナーを開放し、アウターウェアにハンガーをつけ、該ハンガーの吊り金を上記開口部より露出させて洗濯ネットに入れたアウターウェアを吊るす。
また、上記ハンガー開口部を設けた場合には、該開口部の左右両側に、それぞれ第２ファスナーを設ける。
【実施例】
【００２２】
（実施例１）
本発明の実施例にかかる洗濯ネットにつき、図１〜図６を用いて説明する。
本例は、図１〜図３に示すごとく、アウターウェアとしてのブルゾンを洗濯する際に用いる洗濯ネットである。
該洗濯ネットは、網状体よりなる底部ネット１と、網状体よりなる上部ネット２とよりなる。上記上部ネット２は、開閉可能な蓋ネット２２を有し、該蓋ネット２２はその基部２８を上記底部ネット１の基端部１８に固定している。また蓋ネット２２の側端部及び先端部からなる周辺部には開閉周辺部２０を有する。
【００２３】
また、上記上部ネット２における上記蓋ネット２２を形成しない固定部２１は上記底部ネット１の先端部１９及び側端部１９０の一部分に固定してあると共に、該固定部２１における上記蓋ネット２２と対面する部位には開口部２１０を有する。
また、上記底部ネット１の側端部１９０と上記上部ネット２の開口部２１０とは連続した接続周辺部３１を形成しており、該接続周辺部３１と上記蓋ネット２２の開閉周辺部２０とは第１ファスナー３によって開閉可能に接続されている。
また、図１、図５に示すごとく、上記底部ネット１の基端部１８と該底部ネット１の先端部１９とは、洗濯ネットを重ね折りした際に互いに第２ファスナー４によって接続できるよう構成してある。
【００２４】
上記上部ネット２における上記開口部２１０は弧状を形成している。上記底部ネット１の基端部１８と蓋ネット２２の基部２８との固定部分には、布製の補強材５が設けてある。
また、上記上部ネット２の固定部２１の先端部２９と上記底部ネット１の上記先端部１９との固定部分にも同様の補強材５が設けてあり、上記両補強材５には上記第２ファスナーの噛合エレメント４１、４２が取付けてある。
【００２５】
また、上記底部ネット１には、洗濯ネットの中にアウターウェア７を入れて該洗濯ネットを重ね折りした際に、洗濯ネットが膨らみを形成することができるように、プリーツ１７を設けてある。
【００２６】
上記洗濯ネットは、例えば化学繊維糸で作製した網状体を用いる。
また、上記接続周辺部１０と蓋ネット２２の開閉周辺部２０とは、底部ネット１の基端部１８の近く、例えば該基端部１８から１〜５ｃｍ近くにおいて固定しておく（図１、図２）。これにより、洗濯ネットへのアウターウェア７の配置がよりスムースとなる（図３）。
また、上記上部ネット２において、蓋ネット２２を形成しない上記固定部２１の最短長さは、図１〜図３に示すごとく、底部ネットの先端部の端から８〜１５ｃｍの位置まで設けておく（図２、Ａ）。これにより、アウターウェア７の裾部７１を底部ネットと該固定部の間に挿入、固定することができ、アウターウェア７が洗濯ネット内で動くことを防止できる。
【００２７】
また、図２に示すごとく、上記固定部２１と底部ネット１の側端部１９０との固定長さＢは、底部ネット１の先端部１９より２０〜４５ｃｍの位置とする。この場合も、上記と同様の効果が得られる。
また、上記第１ファスナー及び第２ファスナーは、いわゆるスライドファスナーである。
そして、第１ファスナー３は、底部ネット１及び上部ネットの接続周辺部１０と蓋ネット２２の開閉周辺部２０にそれぞれ固定した噛合エレメント３１、３２とスライダー３０とよりなる。
また、上記第２ファスナーは、底部ネット１の基端部１８に設けた上記補強材５、底部ネット１の先端部１９に設けた補強材にそれぞれ固定した噛合エレメント４１、４２とスライダー４０とよりなる。
【００２８】
次に、本例の作用効果について説明する。
本例においては、上記洗濯ネットは底部ネット１と上部ネット２となり、上部ネット２には上記第１ファスナー３によって開閉可能とした蓋ネット２２を設けてある。
即ち、該蓋ネット２２はその基部２８が底部ネット１の基端部１８に固定されているが、その周辺部には開閉周辺部２０を設け、該開閉周辺部２０は底部ネット１の側端部１９０と上部ネット２の開口部２１０とからなる接続周辺部１０に第１ファスナー３によって開閉可能に連結できるようにしてある。
【００２９】
そのため、アウターウェア７を洗濯ネットに入れる際には、図１、図３に示すごとく、第１ファスナー３を開き、蓋ネット２２を大きく開放することができる。即ち、底部ネット１の大部分を上部ネット２から解放することができる（図３）。
それ故、図４に示すごとく、アウターウェア７は、底部ネット１の上に置き、アウターウェア７の裾７１の部分を、上記上部ネットにおける蓋ネットを形成しない固定部２１と底部ネット１との間に挿入し、第１ファスナー３を閉じるだけで洗濯ネット内に型崩れなくアウターウェア７を入れることができる。
このように、本例によれば、アウターウェアを洗濯ネット内に型崩れなくスムースに配置することができる。
【００３０】
次に、洗濯ネット内にアウターウェア７を配置した（図４）後は、図５に示すごとく、洗濯ネットにおける底部ネット１の基端部１８を底部ネット１の先端部１９の方向に折り重ねて、２つ折りし、次いで上記底部ネット１の基端部１８と先端部１９とを第２ファスナー４によって連結する。これにより、アウターウェア７を入れた洗濯ネットはコンパクトな状態となると共に、アウターウェア７の形も固定される。
そのため、このアウターウェア入り洗濯ネットを洗濯機内に入れて水洗洗濯しても、アウターウェア７が絡みあって型崩れするということがない。
【００３１】
また、アウターウェア７入りの洗濯ネットを重ね折りした場合においても、洗濯ネットは基端部と先端部とにおいて第２ファスナー４によって連結されているだけであるため、図５、図６に示すごとく、洗濯ネットの中央部分３８はフリーの状態にある。そのため、この中央部分３８には自由に洗濯機内の水流が流通するので、中央部分の洗濯も充分に行なうことができる（図６）。
【００３２】
次に、上記上部ネットにおける上記開口部は弧状を形成している（図１、図３）。
そのため、上部ネット２の上記固定部２１と底部ネット１とによって、アウターウェア７の両サイドの裾部７１を洗濯ネット内に挿入固定することができ、型崩れを一層防止できる。
【００３３】
また、上記上部ネット２の固定部２１の先端部２９と上記底部ネット１の上記先端部１９との固定部分には布製の補強材５が設けてあり、上記両補強材の間に上記第２ファスナー４が設けてある。
そのため、上記補強材５によって、第２ファスナー４の取付部分となる底部ネット１の基端部１８と先端部１９とが補強され、アウターウェア７を入れた洗濯ネットを重ね折りしたときに底部ネット１の基端部１８と先端部１９が互いに引張られても、第２ファスナー４が洗濯ネットから外れて損傷するということがない。
【００３４】
次に、上記底部ネットには、上記プリーツ１７を設けてある。
そのため、図５、図６に示すごとく、アウターウェア７を入れた洗濯ネットを重ね折りした際に、アウターウェアが膨らみを生じたとき、その膨らみを上記プリーツ（ひだ）が吸収し、洗濯ネットの損傷を防止できる。
【００３５】
したがって、本例によれば、ジャケット、ブルゾン、コート等のアウターウェア７を型崩れさせることなくスムースに入れることができると共に洗濯によって型崩れすることがない洗濯ネットを提供することができる。
【００３６】
（実施例２）
本例は、図７〜図１０に示すごとく、洗濯ネットにハンガー開口部を設けた例である。
即ち、本例の洗濯ネットは、図７〜図９に示すごとく、上記底部ネット１の基端部１８には、洗濯ネット内のアウターウェア７を吊り下げ乾燥するためのハンガー６５（図１０）を露出させるためのハンガー開口部６を有する。
【００３７】
そして、上記ハンガー開口部６の左右両側には、底部ネット１の基端部１８と底部ネット１の先端部１９との間を連結する２つの第２ファスナー４３、４４が設けてある。
第２ファスナー４３は噛合エレメント４１１、４２１及びスライダー４４０により第２ファスナー４４は噛合エレメント４１２、４２２及びスライダー４３０により構成されている。
【００３８】
本例の場合には、図１０に示すごとく、アウターウェア７を洗濯ネットに入れたまま、上記ハンガー６５にアウターウェア７を吊るして、乾燥することができる。
上記乾燥の際には、洗濯の後、上記第２ファスナー４３、４４を開放し、アウターウェア７にハンガー６５をつけ、該ハンガー６５の吊り金を上記開口部６より露出させて洗濯ネットに入れたアウターウェア７を干し杆６９に吊るす。
その他は、実施例１と同様であり同様の作用効果を有する。
【図面の簡単な説明】
【００３９】
【図１】実施例１にかかる、上部ネットを開放した状態の洗濯ネットの斜視図。
【図２】実施例１にかかる、上部ネットの第１ファスナーを閉じた状態の洗濯ネットの斜視図。
【図３】実施例１にかかる、洗濯ネットにアウターウェアを入れる際の洗濯ネットの斜視図。
【図４】実施例１にかかる、洗濯ネットにアウターウェアを配置し第１ファスナーを閉じた状態の洗濯ネットの斜視図。
【図５】実施例１にかかる、アウターウェアを入れて折り重ねた状態の洗濯ネットの斜視図。
【図６】実施例１にかかる、洗濯時の水流の説明図。
【図７】実施例２にかかる、上部ネットを開放した状態の洗濯ネットの斜視図。
【図８】実施例２にかかる、上部ネットの第１ファスナーを閉じた状態の洗濯ネットの斜視図。
【図９】実施例２にかかる、アウターウェアを入れて折り重ねた状態の洗濯ネットの斜視図。
【図１０】実施例２にかかる、洗濯したアウターウェアを洗濯ネットに入れたまま乾燥する場合の説明図。
【図１１】従来例の洗濯ネットの平面図。
【符号の説明】
【００４０】
１  底部ネット
１０  接続周辺部
１８  底部ネットの基端部
１９  底部ネットの先端部
２  上部ネット
２０  開閉周辺部
２１  固定部
２２  蓋ネット
２８  蓋ネットの基端部
３  第１ファスナー
３１、３２  第１ファスナーの噛合エレメント
４  第２ファスナー
４１、４２  第２ファスナーの噛合エレメント
６  ハンガー開口部
６５  ハンガー
６９  干し杆
【図１】
2006166976.tif 000003
【図２】
2006166976.tif 000004
【図３】
2006166976.tif 000005
【図４】
2006166976.tif 000006
【図５】
2006166976.tif 000007
【図６】
2006166976.tif 000008
【図７】
2006166976.tif 000009
【図８】
2006166976.tif 000010
【図９】
2006166976.tif 000011
【図１０】
2006166976.tif 000012
【図１１】
2006166976.tif 000013